(57)【要約】【課題】強度を確保しつつ薄型化が可能である携帯機を提供することにある。【解決手段】通信用電子部品が収容される携帯機本体１１を、開口部を有するアッパーケース１２とロアケース１３とから構成し、両ケース１２，１３をそれぞれの開口部が塞がれるように突合せ、両ケース１２，１３の外周縁にそれらが離間しないように挟持する保持枠１６を係脱可能に設けている。保持枠１６は、携帯機本体１１の外周を囲むように環状に形成されている。また、両ケース１２，１３の外周縁には、周方向に沿って延びる突部１２ｃ，１３ｃが形成され、この突部１２ｃ，１３ｃには保持枠１６の内周面に形成された係合溝１７ｄ，１８ｄが凹凸の関係でもって係脱可能に係合する。【選択図】  図２
2004241470.tif 000002
【特許請求の範囲】
【請求項１】
対象物に対して所定の信号を通信可能なカード状の携帯機において、
通信用電子部品が収容される携帯機本体を、開口部を有するアッパーケースとロアケースとから構成し、前記両ケースをそれぞれの開口部が塞がれるように突合せ、前記両ケースの外縁にそれらが離間しないように挟持する保持部材を係脱可能に設けたことを特徴とする携帯機。
【発明の詳細な説明】
【０００１】
【発明の属する技術分野】
本発明は、遠隔操作に用いられる携帯機に関するものである。
【０００２】
【従来の技術】
近年、情報通信技術の発達と通信機器の普及を背景として、ユーザから距離を隔てた車両、住宅、家電機器等の外部装置をユーザが携帯する携帯機から制御し、所定の動作を行わせる遠隔操作が広く利用されている。携帯機は通信機能を有しており、ユーザが行った操作に応じたコードを所定領域に送信する。外部装置は、携帯機から送信されたコードを受信すると同コードを解読してコードが示す命令を実行するようになっている。例えば、キーレスエントリシステムにおいては、ユーザは、車両に接近して携帯機の解錠ボタンを押すことで車両のドア錠を解錠させることができる。また、ユーザが携帯機を携帯して車両に接近するとドア錠が自動的に解錠され、逆に車両から離れるとドア錠が自動的に施錠されるスマートエントリシステムも提供されている。
【０００３】
車両の遠隔操作に使用される携帯機８０の構造（特許文献１参照）を図９に示す。携帯機８０は、カード状に形成されたケース本体８１内に、駆動源としての電池８２や、複数の電子部品８３が実装された回路基板８４等を備えている。このような携帯機８０は、携帯性の理由から、いっそうの薄型化及び小型化が要求されている。
【０００４】
【特許文献１】
特開２００２−３３９６０５号公報
【０００５】
【発明が解決しようとする課題】
ところが、合成樹脂製のケースを用いて携帯機８０を薄型化した場合は、ケース本体８１の強度が低下し、外部から力が加えられることによって携帯機８０が破損してしまうおそれがある。そこで、ケース本体８１の強度を確保するためにケース本体８１を金属製にすることが考えられるが、電波が遮断され送受信性能が劣化してしまう。
【０００６】
本発明は上記の課題に鑑みてなされたものであり、その目的は、強度を確保しつつ薄型化が可能である携帯機を提供することにある。
【０００７】
【課題を解決するための手段】
上記の課題を解決するために、請求項１に記載の発明では、対象物に対して所定の信号を通信可能なカード状の携帯機において、通信用電子部品が収容される携帯機本体を、開口部を有するアッパーケースとロアケースとから構成し、前記両ケースをそれぞれの開口部が塞がれるように突合せ、前記両ケースの外縁にそれらが離間しないように挟持する保持部材を係脱可能に設けたことを要旨とする。
【０００８】
このような構成によれば、アッパーケースとロアケースとの外縁部が保持部材により挟持されているため、携帯機の外縁部が補強されて曲がり難くなる。このことから携帯機の強度を向上させることができる。また、保持部材は係脱可能であるため、携帯機本体に収容された電池等の交換が容易となる。
【０００９】
【発明の実施の形態】
以下、車両のスマートエントリシステムにおいて、ドア錠の開閉に用いられる携帯機に本発明を具体化した一実施形態を図１〜図３にしたがって説明する。
【００１０】
図４に示すように、スマートエントリシステム１は、ユーザが所持する携帯機２と車両３に搭載される施解錠制御装置４とから構成されている。このスマートエントリシステム１においては、ユーザが携帯機２を所持して車両３の所定領域に接近すると、携帯機２は、施解錠制御装置４から送信されるリクエスト信号を受信する。ここで、リクエスト信号とは、ＩＤコードの送信を要求する旨の信号である。携帯機２は、リクエスト信号を受信すると、予め記録されたＩＤコードを含むＩＤ信号を送信する。施解錠制御装置４は、携帯機２から送信されるＩＤ信号を受信すると、このＩＤ信号に含まれるＩＤコードと予め記憶されているＩＤコードとを照合し、両ＩＤコードが一致したことを条件としてドア錠を解錠するようになっている。逆に、ユーザが携帯機２を所持して車両３から離間すると、施解錠制御装置４は、携帯機２から送信されるＩＤ信号を受信不能となった時点をトリガとしてドア錠を施錠するようになっている。
【００１１】
図１、図２、図３に示すように、携帯機２は、ＩＣ等の通信用電子部品が実装された基板１４が収容される携帯機本体１１を備えている。携帯機本体１１は、開口部１２ａを有する合成樹脂製のアッパーケース１２と、開口部１３ａを有する合成樹脂製のロアケース１３とから構成されている。アッパーケース１２及びロアケース１３は、開口部１２ａ，１３ａを塞ぐように接合され、アッパーケース１２及びロアケース１３が互いに対峙する面には携帯機本体１１の周方向に沿って延びる溝１２ｂ，１３ｂが形成されている。溝１２ｂ，１３ｂには弾性を有する合成樹脂製のパッキン１５（シール部材）が嵌め込まれている。すなわち、アッパーケース１２とロアケース１３との境界部にはパッキン１５が挟み込まれている。パッキン１５により携帯機本体１１の防水性が図られ、携帯機本体１１の内部に水等が浸入しないようになっている。
【００１２】
アッパーケース１２及びロアケース１３の外縁部には、全周にわたって突部１２ｃ，１３ｃがそれぞれ突設されている。これらの突部１２ｃ，１３ｃには、携帯機本体１１の外周を囲むように保持枠１６が係脱可能に装着されている。保持枠１６は、携帯機本体１１の合成樹脂材料よりも剛性を有した金属材料から形成されている。本実施形態において、保持枠１６は、アルミニウムから形成されている。保持枠１６の金属材料として、鉄やマグネシウム等に変更可能である。
【００１３】
保持枠１６は、全体形状が略凹状をなす第１分割体１７と第２分割体１８とから構成されている。第１分割体１７は、基部１７ａを有し、その両端部には同じ方向に突設され、かつ長さの異なる小平行部１７ｂと大平行部１７ｃとが一体的に形成されている。同様に、第２分割体１８は、基部１８ａを有し、その両端部には同じ方向に突設され、かつ長さの異なる小平行部１８ｂと大平行部１８ｃとが一体的に形成されている。第１分割体１７と第２分割体１８との形状は同じである。第１分割体１７及び第２分割体１８の内周面にはそれぞれ係合溝１７ｄ，１８ｄが形成されている。この係合溝１７ｄ，１８ｄが各ケース１２，１３にそれぞれ形成された突部１２ｃ，１３ｃに凹凸の関係でもって係合されることにより、アッパーケース１２とロアケース１３とが突き合わせられた状態に保持されるようになっている。各分割体１７，１８の外縁には、面取り部１７ｅ，１８ｅが形成されている。
【００１４】
携帯機本体１１に保持枠１６が装着された状態において、第１分割体１７の基部１７ａと第２分割体１８の基部１８ａとは対向する位置に配置されるとともに、長さの異なる小平行部１７ｂ（１８ｂ）と大平行部１８ｃ（１７ｃ）との端面同士が接合されている。第１分割体１７と第２分割体１８との接合箇所１９，２０は、携帯機本体１１におけるそれぞれの短辺の中心部からずれた位置にある。
【００１５】
携帯機２の組み立てを行う際には、突部１２ｃ，１３ｃに第１分割体１７及び第２分割体１８の係合溝１７ｄ，１８ｄとを係合し、第１分割体１７及び第２分割体１８を接近する方向（図２に示す矢印の方向）にスライドさせ、携帯機本体１１の外周を囲むように保持枠１６を装着する。これにより、アッパーケース１２及びロアケース１３は、保持枠１６によって挟持される。
【００１６】
電池等を交換する際には、図２に示す矢印とは逆方向、すなわち互いに離れる方向に第１分割体１７と第２分割体１８とをスライドさせると、保持枠１６は携帯機２から取り外されアッパーケース１２とロアケース１３とが分離させられる。この状態で、携帯機本体１１の内部に収容された電池等の交換を行う。
【００１７】
したがって上記実施形態の携帯機によれば、以下のような効果を得ることができる。
（１）携帯機本体１１を構成するアッパーケース１２とロアケース１３とは、所定の剛性を有する金属製の保持枠１６によって挟持されているため、携帯機２の外周縁部が補強されて携帯機本体１１が曲がり難くなることから、携帯機２の強度を確保でき、薄型化することができる。
【００１８】
（２）保持枠１６は、携帯機本体１１の突部１２ｃ，１３ｃに沿ってスライドさせることで、携帯機２から取り外すことができるようになっている。保持枠１６が取り外されると、アッパーケース１２とロアケース１３とは分離し、電池が交換できる状態となる。よって、ねじ等を用いることなく簡易に電池の交換ができる。
【００１９】
（３）金属製の保持枠１６は、アッパーケース１２及びロアケース１３の外周縁部にある突部１２ｃ，１３ｃのみを囲むように挟持している。このため、携帯機本体１１の表裏両面は保持枠１６によって覆われることがない。したがって、電波が遮断されるのはアッパーケース１２及びロアケース１３の外縁部のみになるため、携帯機２の強度を保ちつつ携帯機本体１１内部に電波が届かず送受信性能が劣化するといった不具合を解消できる。
【００２０】
（４）保持枠１６の係合溝１７ｄ，１８ｄにアッパーケース１２の突部１２ｃ及びロアケース１３の突部１３ｃが凹凸の関係でもって係合されるため、携帯機本体１１に保持枠１６を簡単に装着することができる。
【００２１】
（５）携帯機本体１１に保持枠１６が装着された状態において、第１分割体１７と第２分割体１８との接合箇所１９，２０は、携帯機本体１１における短辺の中心部からずれた位置にある。したがって、外部からの応力によって携帯機本体１１が曲げられた際に、携帯機本体１１の所定の箇所に応力が集中するのを防止でき、携帯機２が破損し難くなる。
【００２２】
（６）アッパーケース１２とロアケース１３との間には、周方向に沿ってパッキン１５が挟持されているため、携帯機２の防水性を向上させることができる。
（７）保持枠１６には面取り部１７ｅ，１８ｅが形成されているため、携帯機２が見かけ上薄く見えるといった外観の向上を図ることができる。
【００２３】
（８）第１分割体１７と第２分割体１８とは、材質及び形状が同一であるため部品の共通化を図ることができ、携帯機２の製造コストを抑制できる。
なお、本実施形態は以下のように変更してもよい。
【００２４】
・アッパーケース１２とロアケース１３とには、突部１２ｃ，１３ｃが形成されていなくてもよい。この場合、図５に示すように、第１分割体１７及び第２分割体（図示せず）は携帯機本体１１の外縁部が係合可能な係合溝１７ｄ，１８ｄ（図示せず）が形成される必要がある。この構成とすれば、保持枠１６が携帯機本体１１の表裏両面よりも一段高くなるので、携帯機本体１１から保持枠１６の取り外しが容易となる。
【００２５】
・本実施形態において、保持枠１６は、鉄、マグネシウム、アルミニウム等の金属材料によって形成されているが、これらの材料に限らず、例えば、保持枠１６は携帯機本体１１よりも剛性の高い合成樹脂材料によって形成されてもよい。
【００２６】
・本実施形態において、アッパーケース１２とロアケース１３との間にはパッキン１５が挟持されていたが、パッキン１５はなくてもよい。
・図６、図７に示すように、第１分割体１７と第２分割体１８とに替えて、四角枠状の第１分割体３１と第２分割体３２とを設け、第１分割体３１と第２分割体３２とにより図６に示す矢印の方向から携帯機本体１１を挟み込むようにしてもよい。この場合には、両分割体３１，３２のうち一方のコーナー部に係止突部３３を形成し、他方のコーナー部に係止凹部３４を形成する。そして、係止突部３３と係止凹部３４とを係合させることにより、両分割体３１，３２同士が離間しないようにしてもよい。
【００２７】
・第１分割体１７と第２分割体１８との形状は、同じでなくてもよい。例えば、図８（ａ）に示すように、棒状の第１分割体１７と凹字状の第２分割体１８とによって携帯機本体１１の外周を囲むようにしてもよい。また、図８（ｂ）に示すように、長さが同じである２つの大平行部１７ｃを有する第１分割体１７と、長さが同じである２つの小平行部１８ｂを有する第２分割体１８とから保持枠１６を構成してもよい。
【００２８】
・図８（ｃ）に示すように、第１分割体１７と第２分割体１８との形状を同形状にし、これら分割体１７，１８の接合箇所１９，２０が携帯機本体１１の短辺の中央に位置するようにしてもよい。図８（ｄ）に示すように、Ｌ字状の第１分割体１７と、これと同形状の第２分割体１８とによって携帯機本体１１の外周縁部を挟持し、これら分割体の接合箇所１９，２０が携帯機本体１１の対角線上に位置するようにしてもよい。これら形状でも、第１分割体１７と第２分割体１８とは共通部材にすることができる。図８（ｅ）に示すように、携帯機本体１１の両端部のみに設けられる保持部材３５，３６によって、両ケース１２，１３を挟持するようにしてもよい。
【００２９】
・本実施形態においては、第１分割体１７と第２分割体１８といった２つの部材からなる保持枠１６によって携帯機本体１１を囲んでいる。しかし、保持枠１６を更に細分化し、３つ以上の分割体で携帯機本体１１の外周を囲んで携帯機２を挟持するようにしてもよい。
【００３０】
次に、本実施形態及び他の実施形態から把握できる技術的思想について、以下に追記する。
（１）請求項１に記載の発明において、前記保持部材は、前記携帯機本体の外周を囲むように環状に形成されていることを特徴とする携帯機。この技術的思想（１）の発明によると、保持部材は、アッパーケース及びロアケースの外周を囲むように環状に形成されているため、携帯機の表裏両面は保持部材によって覆われることがない。よって、携帯機本体内部に電波が届かず送受信性能が劣化するといった不具合を解消できる。
【００３１】
（２）技術的思想（１）に記載の発明において、前記両ケースの外周縁には突部が形成され、この突部には前記保持部材の内周面に形成された係合溝が凹凸の関係でもって係脱可能に係合されていることを特徴とする携帯機。この技術的思想（２）の発明によると、保持部材の係合溝にアッパーケースの外縁部及びロアケースの外縁部が凹凸の関係でもって係合されるため、携帯機本体に保持部材を簡単に装着することができる。
【００３２】
（３）技術的思想（１）または技術的思想（２）に記載の発明において、前記保持部材は、複数の分割体から構成され、隣接する各分割体の接合箇所は、携帯機本体における辺の中心部から位置をずらして配置されていることを特徴とする携帯機。この技術的思想（３）の発明によると、保持部材は複数の分割体から構成され、隣接する各分割体の接合箇所は、携帯機本体における辺の中心部から位置をずらして配置されていることから、所定の箇所に応力が集中するのを防止することができる。
【００３３】
（４）技術的思想（３）に記載の発明において、前記アッパーケースと前記ロアケースの外周縁部を、材質及び形状の同じ２つの保持部材により挟持した携帯機。この技術的思想（４）の発明によると、前記保持部材は、材質及び形状が同じであるため、携帯機の製造コストを抑制できる。
【００３４】
（５）請求項１、技術的思想（１）〜（４）のいずれか１項に記載の発明において、前記両ケースとの境界部には、両ケースの周方向に沿って延びるシール部材が介在されていることを特徴とする携帯機。この技術的思想（４）の発明によると、アッパーケースとロアケースとの間に周方向に沿ってシール部材が挿入されているため、防水性の向上を図ることができる。
【００３５】
（６）請求項１、技術的思想（１）〜（５）のいずれか１項に記載の発明において、前記携帯機本体は合成樹脂材料によって形成され、前記保持部材は携帯機本体よりも剛性を有した金属材料から形成されていることを特徴とする携帯機。
【００３６】
【発明の効果】
本発明によれば、強度を確保しつつ薄型化を図ることができる。
【図面の簡単な説明】
【図１】一実施形態を示す携帯機の斜視図。
【図２】同じく、携帯機の分解斜視図。
【図３】同じく、図１のＡ−Ａ断面図。
【図４】同じく、スマートエントリシステムの概略図。
【図５】他の実施形態における携帯機の断面図。
【図６】他の実施形態における携帯機の斜視図。
【図７】他の実施形態における図６のＣ−Ｃ断面図。
【図８】（ａ）〜（ｅ）は、他の実施形態における携帯機の正面図。
【図９】従来の携帯機の構成を示す概略図。
【符号の説明】
２…携帯機、１１…携帯機本体、１２…アッパーケース、１２ａ…開口部、１２ｃ…突部、１３…ロアケース、１３ａ…開口部、１３ｃ…突部、１５…シール部材としてのパッキン、１６…保持部材としての保持枠、１７…第１分割体、１７ｄ…係合溝、１８…第２分割体、１８ｄ…係合溝、１９，２０…接合箇所、３１…第１分割体、３２…第２分割体、３５，３６…保持部材。
【図１】
2004241470.tif 000003
【図２】
2004241470.tif 000004
【図３】
2004241470.tif 000005
【図４】
2004241470.tif 000006
【図５】
2004241470.tif 000007
【図６】
2004241470.tif 000008
【図７】
2004241470.tif 000009
【図８】
2004241470.tif 000010
【図９】
2004241470.tif 000011